(57)【特許請求の範囲】
【請求項１】
レンズ鏡筒部が取り付けられた本体部と、
前記本体部の上部に固定されるものであって、撮影者によって把持されるハンドルと、前記ハンドルから被写体側に延びる延長部と、前記延長部から上方に突出する突出部と、が一体的に形成された把持部と、
前記突出部の上面と前記突出部の被写体とは反対側の面となる背面との二面の端部に形成された第１のタリーランプ部と、
を有することを特徴とする撮像装置。
【請求項２】
前記延長部の上面は前記ハンドルの上面よりも高いことを特徴とする請求項１に記載の撮像装置。
【請求項３】
前記把持部には、前記延長部の上面であって、前記突出部の被写体とは反対側に、前記本体部の入力操作部が形成されることを特徴とする請求項１又は２に記載の撮像装置。
【請求項４】
前記把持部には、前記突出部の前記上面であって、前記タリーランプ部よりも被写体側にアクセサリーシュー部が形成されることを特徴とする請求項１〜３のうちいずれか一項に記載の撮像装置。
【請求項５】
前記タリーランプ部は前記入力操作部の基板に接続されていることを特徴とする請求項３に記載の撮像装置。
【請求項６】
前記突出部又は前記延長部の被写体側の面となる前面には、第２のタリーランプ部が形成され、前記第２のタリーランプ部が前記入力操作部の基板に接続されていることを特徴とする請求項５に記載の撮像装置。
【請求項７】
前記第１のタリーランプ部と前記第２のタリーランプ部は、それぞれ発光素子と導光部材とを有し、前記導光部材は、前記第１のタリーランプ部の発光素子と前記第２のタリーランプ部の発光素子の双方に導光することを特徴とする請求項６に記載の撮像装置。
【発明の詳細な説明】
【技術分野】
【０００１】
本発明は撮像装置に関する。
【背景技術】
【０００２】
特許文献１は撮影中に点灯するタリーランプを撮像装置の前面に設けているため、撮影対象者に撮影中であることを知らせることができる。特許文献２の図１０は、タリーランプを撮像装置の把持部の背面に設けているため、撮影中であることを撮影者に知らせることができる。特許文献３は、撮像装置の把持部を透明にして内部にタリーランプを設け、上部から撮影者が視認可能にしている。
【先行技術文献】
【特許文献】
【０００３】
【特許文献１】特開２００９−８９１１４号公報
【特許文献２】特開平０９−２７５５１６号公報
【特許文献３】特開平０９−０５５８７５号公報
【発明の概要】
【発明が解決しようとする課題】
【０００４】
しかし、特許文献３では、把持部を撮影者が保持するとタリーランプが見えなくなる。撮影者は、特許文献１のような前面に設けられたタリーランプや特許文献２のような背面に設けられたタリーランプを上部から視認することもできない。
【０００５】
本発明は、撮影者が撮影中であることを撮影者が把持部を把持した状態でも視認することができる撮像装置を提供することを例示的な目的とする。
【課題を解決するための手段】
【０００６】
本発明の一側面としての撮像装置は、レンズ鏡筒部が取り付けられた本体部と、前記本体部の上部に固定されるものであって、撮影者によって把持されるハンドルと、前記ハンドルから被写体側に延びる延長部と、前記延長部から上方に突出する突出部と、が一体的に形成された把持部と、前記突出部の上面と前記突出部の被写体とは反対側の面となる背面との二面の端部に形成された第１のタリーランプ部と、を有することを特徴とする。
【発明の効果】
【０００７】
本発明は、撮影者が撮影中であることを撮影者が把持部を把持した状態でも視認することができる撮像装置を提供することができる。
【図面の簡単な説明】
【０００８】
【図１】本実施例のビデオカメラ（撮像装置）の後側の斜視図である。
【図２】図１に示すビデオカメラの上面図である。
【図３】図１に示すビデオカメラの前側の斜視図である。
【図４】図１に示すビデオカメラの部分拡大斜視図である。
【図５】図３に示すタリーランプ部の内部構造を説明するための部分拡大斜視図である。
【発明を実施するための形態】
【０００９】
図１は本実施例のビデオカメラ（撮像装置）１の後側の斜視図で、図２はビデオカメラ１の上面図である。図１において、Ｂは入射光軸であり、Ｖは鉛直方向である。Ｆは、ビデオカメラ１が水平面に置かれた場合に入射光軸Ｂを含み鉛直方向Ｆに延びる平面である。
【００１０】
ビデオカメラ１は、カメラ本体部１０と把持部３０を有する。
【００１１】
カメラ本体部１０には、レンズ鏡筒部２０が取り付けられる。カメラ本体部１０は、映像の記録／再生を行うことができ、撮像素子を収納している。撮像素子は、レンズ鏡筒部２０から入力される光に基づいて被写体の映像信号を形成する。
【００１２】
レンズ鏡筒部２０は、カメラ本体部１０の前端に着脱可能又は着脱不能に取り付けられ、カメラ本体部１０の前後方向（Ｌ方向）に平行に入射光軸Ｂが設定されている。レンズ鏡筒部２０の先端には、レンズ鏡筒部２０に入射する不要な光を遮断するためのレンズフード２２が着脱可能に装着されている。
【００１３】
把持部３０は、ローアングル撮影等で撮影者がカメラ本体部１０を保持する際に撮影者によって把持されるハンドル３１と、ハンドル３１の先端に取り付けられて前方に（被写体側に）延びる延長部３３と、を有する。把持部３０は、カメラ本体部１０の上部に固定されている。また、把持部３０には、ビューファインダー部４０、入力操作部４４、表示部５０が設けられている。
【００１４】
ハンドル３１は把持者が把持しやすいような直方体形状を有し、その中心線は入射光軸Ｂの上方に入射光軸Ｂに平行に延びており、平面Ｆ上にある。ハンドル３１は、右手の親指以外の四本で把持される。ハンドル３１の後端部にはビューファインダー部４０が取り付けられると共に後端部から下方に延びる支持部３２が設けられている。支持部３２はカメラ本体部１０の上面の後端部に固定されている後側脚部である。ビューファインダー部４０は撮影者が撮像画像を視認することを可能にし、先端にはアイカップ４１が取り付けられている。
【００１５】
延長部３３は、ハンドル３１の先端部に接続され、ハンドル３１よりも厚く形成され、表示部５０を収納することができる。延長部３３は、中央部３４と、中央部３４の両側から外側に張り出した一対の張出部３５ａ及び３５ｂと、を有する。
【００１６】
中央部３４の上面３４ａの中央には、カメラ本体部１０の記録再生動作を指示及び入力するための入力操作部４４が設けられている。入力操作部４４は、録画開始／終了を指示するスイッチ、再生や早送りを指示するスイッチ、撮影時におけるズーミング操作を指示するズームスイッチ、トリガ群などを有する。
【００１７】
また、中央部３４の上面３４ａの先端には延長部３３の上面から上方に突出する突出部６０が設けられている。突出部６０は、前方及び左右側方に開口された中空部分からなり、内部には不図示のマイクロホンが収納されている前方突出部６１ａと、これと係合する後方突出部６１ｂと、を有する。延長部３３はハンドル３１よりも被写体側に位置するので、突出部６０もハンドル３１よりも被写体側に位置する。このため、後述するタリーランプ部６２などを突出部６０に設置しやすい。
【００１８】
図３は、ビデオカメラ１の前側斜視図である。前方突出部６１ａの前面又は延長部３３の前面（即ち、把持部３０の被写体側の面である前面）には撮影状態を示すタリーランプ部６２が設けられている。タリーランプ部６２は撮影中に点灯する発光素子であるＬＥＤから構成され、点灯によって撮影対象者（被写体）は撮影中であることを視認することができる。
【００１９】
しかし、撮影者からはタリーランプ部６２が見えないので撮影中であるかどうかをタリーランプ部６２によって確認することができない。この場合、図１に示す表示部５０によって撮影中かどうかを確認することも考えられる。ところが、三脚にビデオカメラ１を載せた状態でリモコン撮影をする場合や撮影者が把持部３０を自分の目線より低い位置で把持して撮影する場合（例えば、図２に示す状態）では表示部５０を見ることが困難である。即ち、撮影者にとっては、表示部５０を利用して撮影中であるかどうかを視認することが困難な場合があり、この結果、シーンの無駄撮りや撮り逃しが発生する。
【００２０】
図４は、ビデオカメラ１の部分拡大斜視図である。後方突出部６１ｂには、窪み６３ａが形成され、窪み６３ａには、カメラ本体部１０の機能を拡張するためのストロボなどの不図示のアクセサリー（外部機器）を装着するための座金であるアクセサリーシュー部６４が配置される。アクセサリーシュー部６４は後方突出部６１ｂに設けられて上面３４ａから高い位置に設けられているのでアクセサリーの着脱時に入力操作部４４に干渉することがない。
【００２１】
また、後方突出部６１ｂの上面６３ｂと傾斜面である背面６３ｃとの端部に撮影中であることを知らせるタリーランプ部６５が設けられている。背面６３ｃは上面３４ａと６３ｂに隣接してこれらを接続し、後方突出部６１ｂの被写体と反対側（入力操作部４４側）に位置する面である。タリーランプ部６５が、延長部３３の上面３４ａよりも高い位置にある突出部６０に形成され、かつ、上面６３ｂと背面６３ｃの二面の端部に形成されているために、視認性は向上している。
【００２２】
タリーランプ部６５は、上面６３ｂに形成されているために、図２に示すように、撮影者は上方からこれを視認することができる。また、タリーランプ部６５は、把持部３０のハンドル３１ではなく延長部３３に設けられているために、撮影者がハンドル３１を把持した状態でも撮影者はタリーランプ部６５を視認することができる。
【００２３】
更に、背面６３ｃは上面６３ｂに垂直ではなく、上面６３ｂから外側にも拡がる傾斜面であるために、撮影者は、上方からタリーランプ部６５を見た場合に、タリーランプ部６５の上面６３ｂにある部分だけでなく背面６３ｃにある部分も見ることができる。背面６３ｃを上面６３ｂに垂直に構成した場合よりもタリーランプ部６５を視認できる領域が拡がるために撮影者による視認は容易になっている。
【００２４】
また、タリーランプ部６５は、背面６３ｃに形成されているために、図１に示すように、撮影者は三脚にビデオカメラ１を載せた状態でリモコン撮影する場合などに後方からこれを視認することができる。この場合、タリーランプ部６５は、把持部３０の中央部３４の上面３４ａよりも高い位置に形成されている。
【００２５】
また、そもそも延長部３３の中央部３４の上面３４ａは、ハンドル３１の上面よりも高い位置にある。このため、撮影者は、入力操作部４４やアイカップ４１越しにタリーランプ部６５を後方から確認することが容易である。
【００２６】
また、タリーランプ部６５は、後方突出部６１ｂにおいて、アクセサリーシュー部６４よりも後側の端部に設けられている（アクセサリーシュー部６４はタリーランプ部６５よりも被写体側に形成されている）。
【００２７】
これは、タリーランプ部６５がアクセサリーシュー部６４よりも前側に設けられると、アクセサリーシュー部６４に不図示のアクセサリーが装着されると撮影者はアクセサリー越しにタリーランプ部６５を視認することが困難になるからである。また、タリーランプ部６５が、後方突出部６１ｂの端部に設けられることによって上面６３ｂと背面６３ｃに及ぶことができ、一つのタリーランプ部６５で撮影者が上方と後方から視認することを可能にする。
【００２８】
このように、撮影者は、後方や上方からタリーランプ部６５の点灯状態を視認して撮影中であることを認識することができ、シーンの無駄撮りや撮り逃しを防止することができる。また、撮影者は、突出部６０の被写体とは反対側に位置するカメラ本体部１０の入力操作部４４を操作しながら、タリーランプ部６５を操作中の指に隠れることなく視認することができる。
【００２９】
なお、本実施例では、タリーランプ部６５は、後方突出部６１ｂの背面６３ｃのＨ方向における中央に一箇所設けられている。しかし、タリーランプ部６５の位置は、アクセサリーシュー部６４に不図示のアクセサリーが装着されてもタリーランプ部６５を上方及び後方から視認できるかぎり、この位置に限定されず、図４に示す角部６３ｄであってもよい。また、図４に示すように、タリーランプ部６５の数は限定されない。
【００３０】
図５は、後方突出部６１ｂを前方突出部６１ａから取り外した内部構造を示す斜視図である。タリーランプ部６５の発光素子である表示用ＬＥＤ６７を入力操作部４４のスイッチ用の基板６６に搭載し、導光部材６８にて導光している。
【００３１】
タリーランプ部６５を入力操作部４４の基板６６に接続し、タリーランプ部６５の基板を入力操作部４４の基板６６と共通化することによって、別基板を構成する必要がなくなるのでコストダウンを図ることができる。
【００３２】
また、別のタリーランプ部６２を入力操作部４４の基板６６に接続し、タリーランプ部６２の基板を入力操作部４４の基板６６と共通にして更なるコストダウンも図っている。また、タリーランプ部６５の導光部材６８をタリーランプ部６２用の導光部材と同一部材で作成し、双方へ導光することにより、コストダウンを図っている。
【００３３】
中央部３４の下には表示部５０を部分的に収納するためのスロット部が形成され、その下面には下方に延びる支持部３７が固定されている。支持部３７はカメラ本体部１０の上面の前端部に固定されている前側脚部である。このように、一対の支持部３２及び３７によって把持部３０はカメラ本体部１０に取り付けられている。
【００３４】
張出部３５ａ及び３５ｂは、中央部３４の側面の下部から幅方向Ｈにほぼ一定の幅を有して張り出しており、Ｌ方向に所定の長さを有する。本実施例では、所定の長さは表示部５０の長手方向の長さに対応する長さであるが、表示部５０の表示面５１を少なくとも覆うことができる長さがあれば足りる。張出部３５ａには親指を置くための指置き部が配置され、張出部３５ｂの中央にはガンマイクなどの外部マイクを保持するための外部マイク保持部４８がネジ止めされている。
【００３５】
表示部５０は、把持部３０のレンズ鏡筒部２０の側に回転可能に取り付けられる。より具体的には、表示部５０は、把持部３０の延長部３３の下部に収納及び延長部３３に対して展開自在に設けられている。また、展開された表示部５０は回転可能に構成されて表示面の角度を変更可能とされている。
【００３６】
表示部５０は、撮像素子で形成された映像信号又は予め不図示のメモリに記録されている情報に基づいて映像を表示する液晶ディスプレイ、映像モニタディスプレイ等からなる平面モニタである。図１及び図２は、ビデオカメラ１の表示部５０が、展開状態から９０度回転した状態を示している。もちろん、表示部５０は撮影中であることを示すタリーランプ機能を有してもよい。
【００３７】
なお、本実施例は、撮像装置の例としてビデオカメラについて説明したが、デジタルスチルカメラなど撮像装置の種類は限定されない。
【産業上の利用可能性】
【００３８】
撮像装置は、被写体の撮像に適用することができる。
【符号の説明】
【００３９】
１              ビデオカメラ（撮像装置）
１０            カメラ本体部
２０            レンズ鏡筒部
３０            把持部
３１            ハンドル
３３            延長部
３４ａ、６３ｂ  上面
４４            入力操作部
６０            突出部
６２、６５      タリーランプ部
６３ｃ          背面
６４            アクセサリーシュー部
【図１】
0005455561.tif 000002
【図２】
0005455561.tif 000003
【図３】
0005455561.tif 000004
【図４】
0005455561.tif 000005
【図５】
0005455561.tif 000006